(57)【要約】【課題】金銭処理装置及び金銭処理方法において、新たな収納庫を配置しなくとも、硬貨の収納量が増えることに起因する装置の休止時間を減らす。【解決手段】硬貨処理装置の一例である精算装置１００又は入出金装置１は、筐体の一例である釣銭機筐体１４と、この釣銭機筐体１４の外面に設けられ、硬貨が投入される硬貨投入口１３と、釣銭機筐体１４の外面に設けられ、硬貨を排出する第１の排出口の一例である硬貨出金口１１と、釣銭機筐体１４の外面に設けられ、硬貨を排出する第２の排出口の一例である硬貨返却口と、釣銭機筐体１４内に収納される枚数の閾値を超える枚数の硬貨を硬貨返却口に排出する制御を行う制御部と、を備える。【選択図】図１
2019101891.tif 000002
【特許請求の範囲】
【請求項１】
筐体と、
前記筐体の外面に設けられ、硬貨が投入される硬貨投入口と、
前記筐体の前記外面に設けられ、硬貨を排出する第１の排出口と、
前記筐体の前記外面に設けられ、硬貨を排出する第２の排出口と、
前記筐体内に収納される枚数の閾値を超える枚数の硬貨を前記第２の排出口に排出する制御を行う制御部と、
を備えることを特徴とする金銭処理装置。
【請求項２】
閉じた状態で前記第２の排出口を覆い、開放した状態で前記第２の排出口を露出させるカバーを備える、
ことを特徴とする請求項１記載の金銭処理装置。
【請求項３】
前記カバーは、ロック機構を有している、
ことを特徴とする請求項２記載の金銭処理装置。
【請求項４】
硬貨を金種別に収納する１つ以上の硬貨収納庫を備え、
前記閾値は、前記硬貨収納庫に収納される硬貨の枚数の閾値である、
ことを特徴とする請求項１乃至３のいずれか記載の金銭処理装置。
【請求項５】
硬貨を金種別に収納する１つ以上の硬貨収納庫と、
前記硬貨投入口から投入された硬貨の真偽および金種を識別する硬貨識別部と、
前記硬貨収納庫に硬貨を搬送する入金搬送路と、
前記硬貨収納庫から前記第１の排出口に硬貨を搬送する出金搬送路と、
前記硬貨識別部において正貨として識別されなかった投入物を前記第１の排出口に振分ける第１の振分部と、
前記入金搬送路において硬貨を金種別に前記硬貨収納庫へ振分ける第２の振分部と、
前記出金搬送路において、前記硬貨収納庫から前記第１の排出口に搬送される硬貨のうち前記硬貨収納庫において前記閾値を超えた枚数の硬貨を前記第２の排出口に振分ける第３の振分部と、
を備えることを特徴とする請求項１乃至３のいずれか記載の金銭処理装置。
【請求項６】
硬貨を一時保留する硬貨一時保留部を備え、
前記第１の振分部は、前記硬貨識別部において正貨として識別された硬貨を前記硬貨一時保留部へ振分け、
前記第３の振分部は、前記閾値を超えた枚数の硬貨を、前記硬貨一時保留部を経由して前記第２の排出口に振分ける、
ことを特徴とする請求項５記載の金銭処理装置。
【請求項７】
前記制御部は、前記硬貨収納庫の収納枚数が、満杯となるフル枚数に達したこと、または、満杯に近づいたことを表すニアフル枚数に達したこと、の少なくともいずれか１つを検出し、
前記閾値は、前記フル枚数よりも少なく且つ前記ニアフル枚数よりも多い枚数である、
ことを特徴とする請求項４乃至６のいずれか記載の金銭処理装置。
【請求項８】
前記制御部は、前記閾値を超える枚数の硬貨が複数の金種の硬貨を含む場合に、金種ごとに予め定められた優先度に基づき、優先度の高い金種の硬貨から順に前記第２の排出口に排出する制御を行う、
ことを特徴とする請求項１乃至７のいずれか記載の金銭処理装置。
【請求項９】
前記制御部は、前記第２の排出口が収容する硬貨の収容状況の情報に基づき、前記閾値を超える枚数の硬貨を前記第２の排出口に排出可能であるかの判定を行い、排出可能であると判定した場合に、前記閾値を超える枚数の硬貨を前記第２の排出口に排出する制御を行う、
ことを特徴とする請求項１乃至８のいずれか記載の金銭処理装置。
【請求項１０】
前記制御部は、前記第２の排出口の前記収容状況の情報に基づき、金種ごとに予め定められた係数を用いて、前記閾値を超える枚数の硬貨を前記第２の排出口に排出可能であるかの判定を行う、
ことを特徴とする請求項９記載の金銭処理装置。
【請求項１１】
前記第２の排出口に収容された硬貨を検出する硬貨検出センサを備え、
前記制御部は、前記硬貨検出センサの検出結果に基づき、前記第２の排出口が収容する硬貨の収容状況の情報を更新する、
ことを特徴とする請求項１乃至１０のいずれか記載の金銭処理装置。
【請求項１２】
表示装置と、
前記制御装置及び前記表示装置を制御する主制御部と、
を備えることを特徴とする請求項１乃至１１のいずれか記載の金銭処理装置。
【請求項１３】
筐体と、前記筐体の外面に設けられ、硬貨が投入される硬貨投入口と、前記筐体の前記外面に設けられ、硬貨を排出する第１の排出口と、前記筐体の前記外面に設けられ、硬貨を排出する第２の排出口と、を備える金銭処理装置を用いた金銭処理方法であって、
前記筐体内に収納される枚数の閾値を超える枚数の硬貨があるかを判定し、
前記閾値を超える枚数の硬貨を前記第２の排出口に排出する、
ことを特徴とする金銭処理方法。
【発明の詳細な説明】
【技術分野】
【０００１】
本発明は、金銭処理装置と、金銭処理装置を用いた金銭処理方法と、に関する。
【背景技術】
【０００２】
従来、店舗等において顧客自らが精算を行うための精算装置（ペイメントステーション）には、店員のみが取り扱う一般的なＰＯＳ（Point Of Sales）で利用されている釣銭機が流用されているが、この釣銭機は硬貨収納量に上限があり、上限を超えて入金することができないものが多い。
【０００３】
精算装置の利用者（顧客）の一つの特徴として、通常レジの場合と比較して多数の硬貨を入金する傾向があるため、硬貨収納庫がフル（満杯）になり易い。そのため、収納可能枚数を超えた硬貨を店員が回収するまで、精算装置を休止しなければならない場合が生じる。
【０００４】
しかし、店員のリソース（人数や作業時間）は限られているため、硬貨収納庫がフルになった精算装置からすぐに硬貨を回収できるとは限らない。そのため、精算装置を休止中のまま放置せざるを得ないケースがあり、精算装置の運用効率を悪化させる原因の一つとなっており、運用課題となっている。
【０００５】
近年、釣銭機では、収納可能枚数を超える硬貨を退避する特別な収納庫（オーバーフロー庫）を備えたものが知られている（例えば、特許文献１参照）。
【先行技術文献】
【特許文献】
【０００６】
【特許文献１】特許第６１９１４１３号公報
【発明の概要】
【発明が解決しようとする課題】
【０００７】
しかしながら、上記のようなオーバーフロー庫は、付加的に配置されるものであるため、既存の釣銭機をそのまま利用することができず、釣銭機、或いは釣銭機を備える精算装置自体を新規導入しなければならなくなり、店舗に対して大きなコスト負担となる。
【０００８】
なお、釣銭機には、硬貨が投入される硬貨投入口や、硬貨を出金する硬貨出金口のほか、一旦硬貨投入口から投入されて入金が取消となった硬貨が返却される硬貨返却口が設けられる。この硬貨返却口は、硬貨出金口とは別に設けられるため、顧客が硬貨返却口から返却される硬貨を見落とす場合がある。
【０００９】
本発明は、このような点に鑑みてなされたものであり、新たな収納庫を配置しなくとも、硬貨の収納量が増えることに起因する装置の休止時間を減らすことができる金銭処理装置及び金銭処理方法を提供することを目的とする。
【課題を解決するための手段】
【００１０】
１つの態様では、金銭処理装置は、筐体と、前記筐体の外面に設けられ、硬貨が投入される硬貨投入口と、前記筐体の前記外面に設けられ、硬貨を排出する第１の排出口と、前記筐体の前記外面に設けられ、硬貨を排出する第２の排出口と、前記筐体内に収納される枚数の閾値を超える枚数の硬貨を前記第２の排出口に排出する制御を行う制御部と、を備える。
【００１１】
他の１つの態様では、金銭処理方法は、筐体と、前記筐体の外面に設けられ、硬貨が投入される硬貨投入口と、前記筐体の前記外面に設けられ、硬貨を排出する第１の排出口と、前記筐体の前記外面に設けられ、硬貨を排出する第２の排出口と、を備える金銭処理装置を用いた金銭処理方法であって、前記筐体内に収納される枚数の閾値を超える枚数の硬貨があるかを判定し、前記閾値を超える枚数の硬貨を前記第２の排出口に排出する。
【発明の効果】
【００１２】
前記態様によれば、新たな収納庫を配置しなくとも、硬貨の収納量が増えることに起因する装置の休止時間を減らすことができる。
【図面の簡単な説明】
【００１３】
【図１】精算装置を示す斜視図である。
【図２】精算システムの概略構成を示すブロック図である。
【図３】前カバーが開放した状態を示す正面図である。
【図４】釣銭機における硬貨の搬送経路を示す図である。
【図５Ａ】釣銭機が自動的に判断してＯＦ（オーバーフロー）制御する場合の釣銭機の処理を示すフローチャート（その１）である。
【図５Ｂ】釣銭機が自動的に判断してＯＦ制御する場合の釣銭機の処理を示すフローチャート（その２）である。
【図５Ｃ】釣銭機が自動的に判断してＯＦ制御する場合の精算装置の処理を示すフローチャートである。
【図６Ａ】ＯＦ専用コマンドを使って、主制御部がＯＦ制御する場合の釣銭機の処理（同期処理）を示すフローチャートである。
【図６Ｂ】ＯＦ専用コマンドを使って、主制御部がＯＦ制御する場合の精算装置の処理（同期処理）を示すフローチャートである。
【図７Ａ】ＯＦ専用コマンドを使って、主制御部がＯＦ制御する場合の釣銭機の処理（非同期処理）を示すフローチャートである。
【図７Ｂ】ＯＦ専用コマンドを使って、主制御部がＯＦ制御する場合の精算装置の処理（非同期処理）を示すフローチャートである。
【図８】比較例の出金コマンドを使って、硬貨の排出口を設定する場合の釣銭機の処理を示すフローチャートである。
【図９Ａ】比較例の出金コマンドを使って、主制御部がＯＦ制御する場合の釣銭機の処理（同期処理）を示すフローチャートである。
【図９Ｂ】比較例の出金コマンドを使って、主制御部がＯＦ制御する場合の精算装置の処理（同期処理）を示すフローチャートである。
【図１０Ａ】比較例の出金コマンドを使って、主制御部がＯＦ制御する場合の釣銭機の処理（非同期処理）を示すフローチャートである。
【図１０Ｂ】比較例の出金コマンドを使って、主制御部がＯＦ制御する場合の精算装置の処理（非同期処理）を示すフローチャートである。
【発明を実施するための形態】
【００１４】
以下、本発明の実施の形態に係る金銭処理装置及び金銭処理方法について、図面を参照しながら説明する。
【００１５】
図１は、精算装置１００を示す斜視図である。
図２は、精算システムの概略構成を示すブロック図である。
図３は、前カバー３１が開放した状態を示す正面図である。
図４は、釣銭機１０における硬貨の搬送経路を示す図である。
【００１６】
図１及び図２に示すように、金銭処理装置の一例である精算装置１００は、入出金装置１と、主制御部１０１と、表示装置１０２と、磁気情報読取部１０３と、レシートプリンタ１０４と、レーンライト１０５と、を備える。図２に示す精算装置１００は、店舗等に例えば３つ（１つ以上）設置され、無線又は有線で接続された例えば３つ（１つ以上）のスキャニングステーション２００のいずれかにおいて店員によってバーコードをスキャンされた商品の精算を顧客自らが行うための装置である。なお、精算装置１００がスキャナを備えてもよく、その場合、精算装置１００は、商品スキャン及び精算の両方を顧客が行う装置として機能する。
【００１７】
図２に示すように、主制御部１０１は、例えば精算装置１００全体の動作を制御する演算処理装置として機能するプロセッサ（例えば、ＣＰＵ：Central Processing Unit）と、ＲＡＭ（Random Access Memory）、ＨＤＤ（Hard Disk Drive）などの記憶部と、を有し、入出金装置１、表示装置１０２、磁気情報読取部１０３、レシートプリンタ１０４、レーンライト１０５等を制御する。
【００１８】
表示装置１０２は、入出金装置１の上部に配置された例えば液晶ディスプレイであり、精算金額等の表示を行う。表示装置１０２には、タッチパネルが配置されているとよい。
【００１９】
磁気情報読取部１０３は、磁気カード（例えばクレジットカード）の磁気情報を読み取る。磁気情報読取部１０３は、例えば表示装置１０２の右側面に配置される。
【００２０】
レシートプリンタ１０４は、入出金装置１の上部に配置されており、精算金額等の取引内容等を印字したレシートを発行する。
【００２１】
レーンライト１０５は、図４に示す硬貨収納庫Ｂにおける硬貨の収納枚数が、満杯となるフル枚数になった状態、後述する閾値を超えた状態、満杯に近づいたことを表すニアフル枚数になった状態などに、状態に対応する色のランプを点灯又は点滅させることにより、精算装置１００の状態を報知する。レーンライト１０５は、精算装置１００の最上部に位置する。
【００２２】
図１及び図２に示すように、入出金装置１は、釣銭機１０と、釣札機２０と、入出金装置筐体３０と、カゴ置き台４０と、スカート５０と、を備える。なお、入出金装置１のみを金銭処理装置とみなしてもよい。
【００２３】
図４に示すように、釣銭機１０は、硬貨出金口１１と、硬貨返却口１２と、硬貨投入口１３と、釣銭機筐体１４（図３参照）と、制御部１５（図２参照）と、硬貨識別部１６と、硬貨一時保留部１７と、入金搬送路１８と、出金搬送路１９と、硬貨収納庫Ｂと、複数の振分ゲートＧと、を有する。なお、制御部１５、硬貨識別部１６、硬貨一時保留部１７、入金搬送路１８、及び出金搬送路１９は、釣銭機筐体１４内に配置されている。
【００２４】
ここで、硬貨出金口１１は、硬貨を排出する第１の排出口の一例である。また、硬貨返却口１２は、硬貨を排出する第２の排出口の一例である。また、釣銭機筐体１４は、硬貨出金口１１と硬貨返却口１２と硬貨投入口１３とが外面に設けられる筐体の一例である。なお、硬貨出金口１１及び硬貨返却口１２は、釣銭機筐体１４の前面に設けられ、硬貨投入口１３は、釣銭機筐体１４の上面前部に設けられている。
【００２５】
図３に示す硬貨出金口１１及び硬貨返却口１２のうち、硬貨返却口１２は、図１に示すように、後述する入出金装置筐体３０に設けられた前カバー３１によって覆われている。そのため、硬貨返却口１２は、本来、入金取消となった硬貨を返却可能に設けられているものであるが、前カバー３１が配置されていることによって、硬貨を顧客に返却する機能を果たさない。本実施の形態における硬貨返却口１２は、閾値を超えた枚数の硬貨を排出し、収容する。硬貨返却口１２には、この硬貨返却口１２に収容された硬貨を検出する硬貨検出センサ１２ａが設けられているとよい。
【００２６】
なお、硬貨出金口１１は、前カバー３１の開口部分に位置するため、前カバー３１によって覆われていない。また、硬貨投入口１３も、入出金装置筐体３０に設けられた上カバー３２の開口部分に位置するため、上カバー３２によって覆われていない。
【００２７】
ここで、前カバー３１は、閉じた状態でロックされて硬貨返却口１２を覆うとともにロックを解除されて開放した状態で硬貨返却口１２を露出させるカバーの一例である。このカバーとしては、釣銭機１０と一体に設けられるものであってもよい。その場合、金銭処理装置は、精算装置１００又は入出金装置１ではなく釣銭機１０とみなしてもよい。
【００２８】
図２に示す制御部１５は、例えば釣銭機１０の動作を制御する演算処理装置として機能するプロセッサ（例えば、ＣＰＵ）と、記憶部と、を有する。
【００２９】
図４に示す硬貨識別部１６は、硬貨投入口１３から投入された硬貨の真偽および金種を識別する。
【００３０】
硬貨一時保留部１７は、硬貨を一時保留する。
入金搬送路１８は、硬貨一時保留部１７から各硬貨収納庫Ｂに硬貨を搬送する。
出金搬送路１９は、各硬貨収納庫Ｂから硬貨出金口１１に硬貨を搬送する。
【００３１】
硬貨収納庫Ｂは、各金種の収納庫である、１円収納庫Ｂ１、５円収納庫Ｂ５、１０円収納庫Ｂ１０、５０円収納庫Ｂ５０、１００円収納庫Ｂ１００、及び５００円収納庫Ｂ５００を含む。このように、金種ごとに硬貨収納庫Ｂが配置されることが望ましいが、硬貨収納庫Ｂは１つ以上配置されていればよい。
【００３２】
複数の振分ゲートＧは、第１〜第３の振分部の一例である第１〜第３の振分ゲートＧ１〜Ｇ３を含む。
【００３３】
図４に示すように、硬貨投入口１３から投入された硬貨は、硬貨識別部１６に搬送される。第１の振分ゲートＧ１は、硬貨識別部１６において正貨として識別された硬貨を硬貨一時保留部１７へ振分け、硬貨識別部１６において正貨として識別されなかった投入物を硬貨出金口１１に振分ける。
【００３４】
そして、硬貨一時保留部１７において一時保留された硬貨は、入金搬送路１８において、第２の振分ゲートＧ２によって金種別に複数の硬貨収納庫Ｂへ振分けられる。
【００３５】
第３の振分ゲートＧ３は、出金搬送路１９において、硬貨収納庫Ｂから硬貨出金口１１に搬送される硬貨のうち硬貨収納庫Ｂにおいて閾値を超えた枚数の硬貨を、一時保留部１７を経由して硬貨返却口１２へ振分ける。このように各硬貨収納庫Ｂにおいて閾値を超えた枚数の硬貨は、入金搬送路１８において、第２の振分ゲートＧ２によって硬貨返却口１２に振分けられる。なお、硬貨一時保留部１７が省略される場合などには、閾値を超えた枚数の硬貨は、硬貨一時保留部１７を経由せずに、例えば出金搬送路１９から直接的に入金搬送路１８へ搬送され、硬貨返却口１２へ振分けられてもよい。
【００３６】
図３に示すように、釣札機２０は、紙幣を排出する紙幣出金口２１と、紙幣を収容する紙幣カセット２２と、を有する。また、釣札機２０は、図示はしないが、釣札機２０の動作を制御する演算処理装置として機能するプロセッサ（例えば、ＣＰＵ）と、ＲＡＭ、ＨＤＤなどの記憶部と、を有してもよい。或いは、釣銭機１０の制御部１５が釣札機２０の制御を行ってもよい。
【００３７】
図１に示すように、紙幣出金口２１は、前カバー３１の開口部分に位置するため、前カバー３１によって覆われていないが、紙幣カセット２２は、前カバー３１によって覆われている。
【００３８】
入出金装置筐体３０は、上述の釣銭機１０及び釣札機２０を収容する。また、入出金装置筐体３０には、上述の前カバー３１及び上カバー３２が開閉可能に配置されている。
【００３９】
前カバー３１は、鍵挿入口３１ａが設けられており、閉じた状態で硬貨返却口１２を覆う。また、前カバー３１は、鍵挿入口３１ａに鍵が挿入されることでロック機構によるロックを解除されて開放した状態で図３に示すように硬貨返却口１２を露出させる。なお、上カバー３２もロックを解除されることで開放する。
【００４０】
入出金装置筐体３０の左側面には、水平に配置された板状のカゴ置き台４０が配置されている。このカゴ置き台４０には、図２に示すスキャニングステーション２００においてバーコードをスキャンされた商品を収容するカゴが顧客によって載置される。
【００４１】
また、入出金装置筐体３０の下部には、硬貨等が入出金装置筐体３０の下部に入り込むのを防ぐためのスカート５０が前後左右に亘って配置されている。
【００４２】
以下、釣銭機１０の硬貨収納庫Ｂにおいて所定の閾値を超えた枚数の硬貨を硬貨返却口１２から排出するためのオーバーフロー（ＯＦ）制御について説明する。
【００４３】
以下では、硬貨収納庫Ｂに収納された硬貨の枚数が閾値を超えるか否かの判定を、釣銭機１０の制御部１５が行う場合の処理について図５Ａ〜図５Ｃを参照しながら説明し、精算装置１００の主制御部１０１が行う場合（すなわち、主制御部１０１が「制御部」として機能する場合）の処理について図６Ａ〜図１０Ｂを参照しながら説明する。
【００４４】
図５Ａ及び図５Ｂは、釣銭機１０が自動的に判断してＯＦ制御する場合の釣銭機１０（制御部１５）の処理を示すフローチャートである。
【００４５】
図５Ｃは、釣銭機１０が自動的に判断してＯＦ制御する場合の精算装置１００（主制御部１０１）の処理を示すフローチャートである。
【００４６】
図５Ａに示すフローチャートは、出金後のＯＦ制御に関する処理を示し、図５Ｂに示すフローチャートは、入金後にお釣りが無い場合（出金が無い場合）のＯＦ制御に関する処理を示す。
【００４７】
まず、図５Ａに示すように、制御部１５は、主制御部１０１からの指示があるまで指示があるかの判定を繰り返して待機し（ステップＳ１０１，Ｓ１０２：ＮＯ）、指示があると（ステップＳ１０２：ＹＥＳ）、その指示が出金指示であるかを判定する（ステップＳ１０３）。なお、ここでの出金指示は、精算時にお釣りがある場合に主制御部１０１から送られる指示である。
【００４８】
主制御部１０１からの指示が出金指示でない場合（ステップＳ１０３：ＮＯ）、制御部１５は、その指示に対応する処理（ステップＳ１０４）を行い、ステップＳ１０１に戻る。なお、出金指示以外の指示は、例えば、入金開始、入金終了（例えば、お釣り有り／無し／返却の３パターン）、回収（硬貨収納庫Ｂ内の硬貨の全回収や、残置回収（決められた金額だけ残して回収、或いは、１万円などの決められた金額のみ回収））、精査（各硬貨収納庫Ｂ内の収納枚数の数え直し）、排出口（硬貨出金口１１又は硬貨返却口１２）の変更、ＯＦ金種の硬貨返却口１２への移動、在高取得（各硬貨収納庫Ｂ内の金種の収納枚数の取得）などである。
【００４９】
主制御部１０１からの指示が出金指示である場合（ステップＳ１０３：ＹＥＳ）、制御部１５は、硬貨出金口１１からの出金処理を開始する（ステップＳ１０５、Ｓ１０６：ＮＯ）。なお、出金指示は、金額のみ指定されて制御部１５が金種枚数を出金に対応する各金種の枚数を指定してもよいし、主制御部１０１によって金種枚数まで指定されてもよい。
【００５０】
制御部１５は、出金が終了するまで出金処理（Ｓ１０５）を繰り返し、出金が終了すると（ステップＳ１０６：ＹＥＳ）、出金終了を主制御部１０１に通知する（ステップＳ１０７）。また、制御部１５は、出金後の各硬貨収納庫Ｂ内の収納枚数をカウントする（ステップＳ１０７ａ）。
【００５１】
次に、制御部１５は、ＯＦが発生するか、すなわち、各硬貨収納庫Ｂのいずれかで閾値を超えた枚数の硬貨があるかを判定する（ステップＳ１０８）。この閾値は、例えば、硬貨収納庫Ｂの枚数が、満杯となるフル枚数（例えば１５０枚）よりも少なく且つ満杯に近づいたことを表す上記のニアフル枚数（例えば１００枚）よりも多い枚数（例えば１３０枚）である。なお、制御部１５は、フル枚数に達したこと、または、ニアフル枚数に達したこと、の少なくともいずれか１つを検出する。
【００５２】
制御部１５は、ＯＦが発生すると判定すると（ステップＳ１０８：ＹＥＳ）、上記の閾値を超えた枚数の硬貨を硬貨返却口１２に移動可能（排出可能）であるかを判定する（ステップＳ１０９）。すなわち、制御部１５は、硬貨返却口１２が収容する硬貨の収容状況の情報に基づき、上記の閾値を超えた枚数の硬貨を硬貨返却口１２に移動可能であるかの判定を行い、移動可能であると判定した場合（後述するステップＳ１０９：ＹＥＳ）に、閾値を超えた枚数の硬貨を硬貨返却口１２に排出する制御を行う。この移動可能であるかの判定は、例えば、閾値を超えた枚数の硬貨が硬貨返却口１２に更に収容できる枚数以下であるかによって行ってもよいが、閾値を超えた枚数の硬貨の一部のみでも硬貨返却口１２に移動可能であるかを判定してもよい。硬貨返却口１２に収容可能な枚数は、３０枚等の枚数を管理者が決定するか或いは予め設定されている。例えば、制御部１５は、硬貨返却口１２の収容可能枚数が３０枚の場合、２０枚（例えば１円１０枚及び５円硬貨１０枚）を硬貨返却口１２に移動済みであれば、残り１０枚まで移動可能と判定する。
【００５３】
或いは、制御部１５は、硬貨返却口１２の収容状況の情報に基づき、金種ごとに予め定められた係数を用いて、閾値を超えた枚数の硬貨を硬貨返却口１２に移動可能であるかの判定を行うとよい。この係数は、例えば金種毎の大きさの違いを考慮した係数であり、１円硬貨であれば０．８、５円硬貨であれば０．９、１０円硬貨であれば１．０、５０円硬貨であれば０．８、１００円硬貨であれば１．０、５００円硬貨であれば１．３などのように予め定められればよい。例えば、制御部１５は、硬貨返却口１２の収容可能枚数が３０枚（係数３０）の場合、１円１０枚及び５円硬貨１０枚を硬貨返却口１２に移動済みであれば、硬貨返却口１２の空きを、「３０−（（０．８）×１０）＋（０．９×１０））＝１３」で、１３枚（係数１３）として判定を行ってもよい。なお、このような制御部１５の判定処理については、後述する主制御部１０１の判定処理においても同様に行うとよい。
【００５４】
制御部１５が、ＯＦが発生しないと判定した場合（ステップＳ１０８：ＮＯ）や、閾値を超えた枚数の硬貨を硬貨返却口１２に移動可能でないと判定した場合（ステップＳ１０９：ＮＯ）には、ステップＳ１０１に戻る。
【００５５】
制御部１５は、閾値を超えた枚数の硬貨を硬貨返却口１２に移動可能であると判定した場合（ステップＳ１０９：ＹＥＳ）には、閾値を超えている金種の硬貨収納庫Ｂから閾値を超えた枚数の硬貨を硬貨返却口１２へ移動させる処理（ＯＦ処理）を行い、このＯＦ処理を開始したことを主制御部１０１に通知する（ステップＳ１１０）。なお、複数の硬貨収納庫Ｂにおいて閾値を超える枚数の硬貨がある場合、硬貨返却口１２へ移動させる硬貨の金種の優先順位をつけてもよい（例えば、金額の安い順、金額の高い順、或いは金額の大小とは関係しない１円、１０円、１００円、５円、５０円、５００円などの任意の順）。すなわち、制御部１５は、閾値を超えた枚数の硬貨が複数の金種の硬貨を含む場合に、金種ごとに予め定められた優先度に基づき、優先度の高い金種の硬貨から順に硬貨返却口１２に排出する制御を行う。これにより、上述のように閾値を超えた枚数の硬貨の一部のみを硬貨返却口１２に移動させる場合、優先度の高い硬貨のみを硬貨返却口１２に排出可能となる。なお、少なくともＯＦ処理の途中には、制御部１５が入出金等の処理は受け付けないことが望ましい。
【００５６】
その後、制御部１５は、ＯＦ処理が終了したこと及びＯＦの状況を主制御部１０１に通知し（ステップＳ１１１）、ステップＳ１０１に戻る。ここで、ＯＦの状況は、閾値を超える枚数の全ての硬貨を硬貨返却口１２に移動できたために閾値を超えた金種は存在しないことを表す「解除」、硬貨返却口１２の容量が満杯になったために移動しきれない硬貨があることを表す「継続」などである。
【００５７】
図５Ｂに示すフローチャートは、図５Ａに示すフローチャートのステップＳ１０３に代えてＳ１２３の処理を行い、Ｓ１０５〜Ｓ１０７の処理が無くなっている点のみ、図５Ａに示すフローチャートの処理と異なる。そのため、相違部分のみ説明する。
【００５８】
図５Ｂに示すように、制御部１５は、主制御部１０１からの指示があると（ステップＳ１２２：ＹＥＳ）、入金終了指示で且つお釣り予定無しであるかを判定する（ステップＳ１２３）。上述の図５Ａの出金指示（ステップＳ１０３）がなくとも、入金後にはＯＦが発生する可能性があるためである。なお、お釣り予定が有る場合には、図５Ａに示す出金指示があった場合（ステップＳ１０３：ＹＥＳ）と同様に処理を行うことになる。
【００５９】
制御部１５は、入金終了指示で且つお釣り予定無しの指示と判定すると（ステップＳ１２３：ＹＥＳ）、入金後の各硬貨収納庫Ｂ内の収納枚数をカウントし（ステップＳ１２４ａ）、図５Ａに示すステップＳ１０８の処理と同様に、ＯＦが発生するかを判定（ステップＳ１２５）する。その後の処理は、図５Ａに示すフローチャートと同様である。
【００６０】
次に、図５Ｃに示す精算装置１００（主制御部１０１）の処理について説明する。
まず、図５Ｃに示すように、主制御部１０１は、顧客による取引が開始するまで取引開始かの判定を繰り返して待機し（ステップＳ１４１，Ｓ１４２：ＮＯ）、取引が開始すると（ステップＳ１４２：ＹＥＳ）、利用者（顧客）の入金処理を開始する（ステップＳ１４３）。この入金処理において、主制御部１０１は、釣銭機１０に入金の開始を指示する。その後、釣銭機１０の硬貨投入口１３に硬貨が投入されるが、主制御部１０１は、釣銭機１０から入金金額を随時通知される。
【００６１】
主制御部１０１は、入金金額が必要金額（すなわち精算金額）に到達するまで必要金額に到達するかの判定を繰り返す（ステップＳ１４４：ＮＯ）。必要金額に到達すると（ステップＳ１４４：ＹＥＳ）、主制御部１０１は、入金が終了したかを判定する（ステップＳ１４５）。この入金が終了したかの判定は、例えば、顧客によって表示装置１０２のタッチパネルで「支払終了」ボタンが押されたことに基づいて判定すればよい。
【００６２】
主制御部１０１は、入金が終了すると（ステップＳ１４５：ＹＥＳ）、お釣り出金が必要であるかを判定する（ステップＳ１４６）。一方、主制御部１０１は、入金が終了しない場合（ステップＳ１４５：ＮＯ）、ステップＳ１４４に戻る。
【００６３】
主制御部１０１は、精算金額より多い金額（硬貨及び紙幣）が投入されることで硬貨のお釣りの出金が必要であると判定すると（ステップＳ１４６：ＹＥＳ）、釣銭機１０に入金停止（例えば硬貨投入口１３の閉鎖）を指示するとともに、お釣り予定が有ることを指示する（ステップＳ１４７）。その後、主制御部１０１は、釣銭機１０にお釣りの出金を指示する（ステップＳ１４８）。また、主制御部１０１は、釣銭機１０から出金終了の通知を受けたか、すなわち出金終了かの判定を、出金終了の通知を受けるまで繰り返す（ステップＳ１４９：ＮＯ）。
【００６４】
主制御部１０１は、釣銭機１０から出金終了の通知を受けると（ステップＳ１４９：ＹＥＳ）、釣銭機１０の硬貨出金口１１に設けられた図示しない出金硬貨検出センサによって硬貨が取り除かれたことが検出されたか否かの情報を釣銭機１０から随時取得することで、お釣りが顧客によって取り除かれたかの判定を繰り返す（ステップＳ１５０：ＮＯ）。
【００６５】
また、主制御部１０１は、上述のお釣り出金が必要であるかの判定において、お釣りが不要と判定した場合（ステップＳ１４６：ＮＯ）、釣銭機１０に入金停止を指示するとともに、お釣り予定が無いことを指示する（ステップＳ１５１）。
【００６６】
主制御部１０１は、お釣りが取り除かれたと判定（ステップＳ１５０：ＹＥＳ）した後、及びステップＳ１５１の処理の後には、釣銭機１０からＯＦ処理開始の通知（図５ＡのステップＳ１１０及び図５ＢのステップＳ１２７参照）を受けたかを判定する（ステップＳ１５２）。
【００６７】
主制御部１０１は、ＯＦ処理開始の通知を受けると（ステップＳ１５２：ＹＥＳ）、釣銭機１０からＯＦ処理の終了通知を受けたかの判定を繰り返して待機する（ステップＳ１５３，Ｓ１５４：ＮＯ）。
【００６８】
主制御部１０１は、釣銭機１０からＯＦ処理の終了通知を受けると（ステップＳ１５４：ＹＥＳ）、釣銭機１０が硬貨返却口１２へ移動させた硬貨の金種及び枚数の情報を釣銭機１０から取得する（ステップＳ１５５）。なお、硬貨返却口１２へ移動させた硬貨の金種及び枚数の情報は、店員（管理者）により硬貨返却口１２から硬貨が回収されたことを通知されたタイミングでクリア（硬貨返却口１２に排出された硬貨の枚数を０枚とカウント）するとよい。また、上述の制御部１５又は主制御部１０１は、上述の図４に示す硬貨検出センサ１２ａの検出結果に基づき、硬貨返却口１２ａが収容する硬貨の収容状況の情報を更新するとよい。例えば、現金回収操作（売上金回収操作）完了時、硬貨返却口１２の残留未検知であること、釣銭機１０のジャム等のエラー解除操作完了時、硬貨返却口１２の残留未検知であること、釣銭機１０の待機中に、硬貨返却口１２の残留未検知であることに基づき、硬貨返却口１２へ移動させた硬貨の金種及び枚数の情報をクリアするとよい。なお、収容状況が０枚のとき、硬貨検出センサ１２ａにより残留を一定時間（例えば３秒）検知した場合、装置エラーと判定されてもよい。
【００６９】
また、主制御部１０１は、スキャニングステーション２００にＯＦ発生状況を通知し（ステップＳ１５６）、ステップＳ１４１に戻る。また、主制御部１０１は、ＯＦ処理開始の通知を受けなかった場合（ステップＳ１５２：ＮＯ）にも、ステップＳ１４１に戻る。
【００７０】
なお、スキャニングステーション２００は、ＯＦ発生状況の通知を受けると、スキャニングステーション２００の図示しない表示装置による表示等によって、ＯＦ発生状況を店員に報知し、硬貨返却口１２からの硬貨の回収を店員に促す。また、主制御部１０１は、上述のレーンライト１０５によってＯＦ発生状況を店員に報知してもよい。
【００７１】
次に、図６Ａ〜図７Ｂを参照しながら、ＯＦ制御専用のコマンドを使って主制御部１０１がＯＦ制御する場合の例について説明する。なお、重複する事項についての説明は適宜省略する。
【００７２】
図６Ａは、ＯＦ専用コマンドを使って主制御部１０１がＯＦ制御する場合の釣銭機１０（制御部１５）の処理（同期処理）を示すフローチャートである。
【００７３】
図６Ｂは、ＯＦ専用コマンドを使って主制御部１０１がＯＦ制御する場合の精算装置１００（主制御部１０１）の処理（同期処理）を示すフローチャートである。
【００７４】
まず、図６Ａに示すように、制御部１５は、主制御部１０１からの指示があるまで指示があるかの判定を繰り返して待機し（ステップＳ２０１，Ｓ２０２：ＮＯ）、指示があると（ステップＳ２０２：ＹＥＳ）、その指示がＯＦ金種の硬貨返却口１２への移動指示であるかを判定する（ステップＳ２０３）。なお、ＯＦ金種の硬貨返却口１２への移動指示は、精算装置１００の主制御部１０１が釣銭機１０の各硬貨収納庫Ｂの収納枚数が閾値を超えると判定した場合に通知される（図６ＢのステップＳ２３３参照）。
【００７５】
主制御部１０１からの指示がＯＦ金種の移動指示でない場合（ステップＳ２０３：ＮＯ）、制御部１５は、その指示に対応する処理（ステップＳ２０４）を行い、ステップＳ２０１に戻る。
【００７６】
主制御部１０１からの指示がＯＦ金種の移動指示である場合（ステップＳ２０３：ＹＥＳ）、制御部１５は、上記の閾値を超えた枚数の硬貨を硬貨返却口１２に移動可能であるかを判定する（ステップＳ２０５）。
【００７７】
制御部１５が、閾値を超えた枚数の硬貨を硬貨返却口１２に移動可能でないと判定した場合（ステップＳ２０５：ＮＯ）には、ＯＦ金種の移動が不可であることを主制御部１０１に応答し（ステップＳ２０６）、ステップＳ２０１に戻る。
【００７８】
制御部１５は、閾値を超えた枚数の硬貨を硬貨返却口１２に移動可能であると判定した場合（ステップＳ２０５：ＹＥＳ）には、主制御部１０１に指示された金種とその枚数を硬貨収納庫Ｂから硬貨返却口１２へ移動させる制御を行い（ステップＳ２０７）、このＯＦ処理が完了したことを主制御部１０１に応答し（ステップＳ２０８）、ステップＳ２０１に戻る。
【００７９】
次に、図６Ｂに示す精算装置１００（主制御部１０１）の処理について説明する。なお、図６Ｂに示すステップＳ２２１〜Ｓ２３１の処理は、図５Ｃに示すステップＳ１４１〜Ｓ１５１の処理と同様であるため、説明を省略する。
【００８０】
主制御部１０１は、お釣りが取り除かれたと判定（ステップＳ２３０（Ｓ１５０と同一）：ＹＥＳ）した後、及びステップＳ２３１（Ｓ１５１と同一）の処理の後には、入出金後の各硬貨収納庫Ｂ内の収納枚数の情報（在高）を取得し（ステップＳ２３１ａ）、ＯＦ処理が必要であるか、すなわち、各硬貨収納庫Ｂのいずれかで閾値を超えた枚数の硬貨があるかを判定する（ステップＳ２３２）。
【００８１】
主制御部１０１は、ＯＦ処理が必要であると判定すると（ステップＳ２３２：ＹＥＳ）、上記の閾値を超えたＯＦ金種の移動指示を行う（ステップＳ２３３）。このとき、図６Ｂは同期処理であるため、釣銭機１０の動作が終了するまで応答が返らない（主制御部１０１のアプリ動作が停止する）。その後、主制御部１０１は、図６Ａにおいて上述したように、釣銭機１０の制御部１５からの応答が、閾値を超えた枚数の硬貨を硬貨返却口１２に移動可能でないと判定したものであるかを判定する（ステップＳ２３４）。
【００８２】
閾値を超えた枚数の硬貨を硬貨返却口１２に移動可能である場合（ステップＳ２３４：ＮＯ）のみ、主制御部１０１は、硬貨返却口１２に移動させた硬貨の金種と枚数の情報を主制御部１０１から取得する（ステップＳ２３５）。
【００８３】
次に、主制御部１０１は、スキャニングステーション２００にＯＦ発生状況を通知し（ステップＳ２３６）、ステップＳ２２１に戻る。また、主制御部１０１は、ＯＦ処理が必要でないと判定した場合（ステップＳ２３２：ＮＯ）にも、ステップＳ２２１に戻る。
【００８４】
図７Ａは、ＯＦ専用コマンドを使って主制御部１０１がＯＦ制御する場合の釣銭機１０（制御部１５）の処理（非同期処理）を示すフローチャートである。
【００８５】
図７Ｂは、ＯＦ専用コマンドを使って主制御部１０１がＯＦ制御する場合の精算装置１００（主制御部１０１）の処理（非同期処理）を示すフローチャートである。
【００８６】
図７Ａに示すステップＳ３０１〜Ｓ３０６の処理は、図６Ａに示すステップＳ２０１〜Ｓ２０６の処理と同様であるため、説明を省略する。
【００８７】
制御部１５は、閾値を超えた枚数の硬貨を硬貨返却口１２に移動可能であると判定した場合（ステップＳ３０５（Ｓ２０５と同一）：ＹＥＳ）には、ＯＦ処理を開始する前に指示受付を主制御部１０１に応答する（ステップＳ３０７）。
【００８８】
また、制御部１５は、主制御部１０１に指示された金種とその枚数を硬貨収納庫Ｂから硬貨返却口１２へ移動させる制御を行い（ステップＳ３０８）、非同期処理の終了を主制御部１０１に応答し（ステップＳ３０９）、ステップＳ３０１に戻る。
【００８９】
次に、図７Ｂに示す精算装置１００（主制御部１０１）の処理について説明する。なお、図７Ｂに示すステップＳ３２１〜Ｓ３３８の処理は、ステップＳ３３５及びＳ３３６の処理が追加されていることのみ図６Ｂに示すステップＳ２２１〜Ｓ２３６の処理と異なる。そのため、相違部分のみ説明する。
【００９０】
主制御部１０１は、釣銭機１０の制御部１５からの応答が、閾値を超えた枚数の硬貨を硬貨返却口１２に移動可能でないと判定したものであるかを判定し（ステップＳ３３４（Ｓ２３４と同一））、閾値を超えた枚数の硬貨を硬貨返却口１２に移動可能である場合（ステップＳ３３４：ＮＯ）には、非同期処理の終了通知を釣銭機１０から受け取らない間（ステップＳ３３６：ＮＯ）、図６Ｂに示す同期処理とは異なり、釣銭機１０の動作中に別の処理を行うことが可能となる（ステップＳ３３５）。
【００９１】
その後、非同期処理の終了通知を釣銭機１０から受け取ると（ステップＳ３３６：ＹＥＳ）、主制御部１０１は、硬貨返却口１２に移動させた硬貨の金種と枚数の情報を主制御部１０１から取得し（ステップＳ３３７（Ｓ２３５と同一））、スキャニングステーション２００にＯＦ発生状況を通知し（ステップＳ３３８（Ｓ２３６と同一））、ステップＳ３２１（Ｓ２２１と同一）に戻る。
【００９２】
ここで、硬貨返却口１２は、上述のように、本来は入金取消となった硬貨を返却可能に設けられているものであるが、この場合、硬貨返却口１２及び硬貨出金口１１の２つの排出口が並存することになり顧客が混同するため、入金取消となった硬貨を出金用の硬貨と同様に硬貨出金口１１から排出させる釣銭機１０とすることが考えられる。このように入金取消となった硬貨も硬貨返却口１２ではなく硬貨出金口１１から排出し、硬貨返却口１２を使用しない態様を比較例とする。以下では、この比較例の出金コマンドの一部を変更しながら使うことで、ＯＦ制御を行う例について説明する。なお、重複する事項についての説明は適宜省略する。
【００９３】
図８は、比較例の出金コマンドを使って、硬貨の排出口を設定（変更）する場合の釣銭機１０（制御部１５）の処理を示すフローチャートである。
【００９４】
まず、図８に示すように、制御部１５は、主制御部１０１からの指示があるまで指示があるかの判定を繰り返して待機し（ステップＳ４０１，Ｓ４０２：ＮＯ）、指示があると（ステップＳ４０２：ＹＥＳ）、その指示が排出口の変更指示であるかを判定する（ステップＳ４０３）。なお、釣札機２０にも、紙幣出金口２１又は紙幣カセット２２の排出口が主制御部１０１によって指定される。また、釣銭機１０の制御部１５が釣札機２０の制御も行う場合、制御部１５から紙幣の排出口の変更指示も受けることになる。
【００９５】
主制御部１０１からの指示が排出口の変更指示でない場合（ステップＳ４０３：ＮＯ）、制御部１５は、その指示に対応する処理（ステップＳ４０４）を行い、ステップＳ４０１に戻る。
【００９６】
主制御部１０１からの指示が排出口の変更指示である場合（ステップＳ４０３：ＹＥＳ）、比較例では、上述のように硬貨返却口１２が使用されないため、硬貨出金口１１のみが設定されるが、本実施の形態では、硬貨返却口１２がＯＦ硬貨を排出するため、硬貨出金口１１のみならず硬貨返却口１２も設定されうる。
【００９７】
そのため、本実施の形態では、制御部１５は、排出口の変更指示が硬貨返却口１２であるかを判定し（ステップＳ４０５）、硬貨返却口１２が指定されない場合（ステップＳ４０５：ＮＯ）、すなわち硬貨出金口１１が指定される場合、制御部１５は、排出口を硬貨出金口１１に設定する（ステップＳ４０６）。また、制御部１５は、硬貨返却口１２が指定された場合（ステップＳ４０５：ＹＥＳ）、排出口を硬貨返却口１２に設定する（ステップＳ４０７）。排出口の変更（ステップＳ４０６，Ｓ４０７）後、ステップＳ４０１に戻る。
【００９８】
図９Ａは、比較例の出金コマンドを使って、主制御部がＯＦ制御する場合の釣銭機１０（制御部１５）の処理（同期処理）を示すフローチャートである。
【００９９】
図９Ｂは、比較例の出金コマンドを使って、主制御部がＯＦ制御する場合の精算装置１００（主制御部１０１）の処理（同期処理）を示すフローチャートである。
【０１００】
まず、図９Ａに示すように、制御部１５は、主制御部１０１からの指示があるまで指示があるかの判定を繰り返して待機し（ステップＳ５０１，Ｓ５０２）、指示があると（ステップＳ５０２：ＹＥＳ）、硬貨の排出指示（すなわち、出金指示又はＯＦ金種の移動指示）であるかを判定する（ステップＳ５０３）。
【０１０１】
主制御部１０１からの指示が硬貨の排出指示でない場合（ステップＳ５０３：ＮＯ）、制御部１５は、その指示に対応する処理（ステップＳ５０４）を行い、ステップＳ５０１に戻る。
【０１０２】
主制御部１０１からの指示が硬貨排出指示である場合（ステップＳ５０３：ＹＥＳ）、制御部１５は、排出先が硬貨返却口１２であるかを判定する（ステップＳ５０５）。指示の排出先が硬貨返却口１２でなければ（ステップＳ５０５：ＮＯ）、排出先は硬貨出金口１１となるため、制御部１５は、硬貨出金口１１への出金処理を行い（ステップＳ５０６）、ステップＳ５０１に戻る。
【０１０３】
指示の排出先が硬貨返却口１２であれば（ステップＳ５０５：ＹＥＳ）、制御部１５は、硬貨返却口１２に空きはあるか（硬貨収納庫Ｂの閾値を超えた枚数の硬貨を硬貨返却口１２に移動可能であるか）を判定する（ステップＳ５０７）。
【０１０４】
制御部１５は、硬貨返却口１２に空きがあれば（ステップＳ５０７：ＹＥＳ）、硬貨返却口１２に主制御部１０１が指定する金種と枚数の硬貨を移動させ（ステップＳ５０８）、ステップＳ５０１に戻る。
【０１０５】
制御部１５は、硬貨返却口１２に空きがなければ（ステップＳ５０７：ＮＯ）、主制御部１０１に移動不可を応答し（ステップＳ５０９）、ステップＳ５０１に戻る。
【０１０６】
次に、図９Ｂに示す精算装置１００（主制御部１０１）の処理について説明する。なお、図９Ｂに示すステップＳ５２１〜Ｓ５３１の処理は、図６Ｂに示すステップＳ２２１〜Ｓ２３１の処理と同様であるため、説明を省略する。
【０１０７】
主制御部１０１は、お釣りが取り除かれたと判定（ステップＳ５３０（Ｓ２３０と同一）：ＹＥＳ）した後、及びステップＳ５３１（Ｓ２３１と同一）の処理の後には、入出金後の各硬貨収納庫Ｂ内の収納枚数の情報（在高）を取得し（ステップＳ５３１ａ）、ＯＦ処理が必要であるか、すなわち、各硬貨収納庫Ｂのいずれかで閾値を超えた枚数の硬貨があるかを判定する（ステップＳ５３２）。
【０１０８】
主制御部１０１は、ＯＦ処理が必要であると判定すると（ステップＳ５３２：ＹＥＳ）、硬貨の排出口を硬貨返却口１２へ変更（図８のフローチャート参照）するように制御部１５に指示する（ステップＳ５３３）。
【０１０９】
また、主制御部１０１は、硬貨の金種及び枚数を指定して硬貨返却口１２へ硬貨を移動させるように制御部１５に指示する（ステップＳ５３４）。このとき、図９Ｂは同期処理であるため、釣銭機１０の動作が終了するまで応答が返らない（主制御部１０１のアプリ動作が停止する）。なお、硬貨の金種及び枚数は、硬貨の排出口を変更して硬貨出金口１１からの出金時と同様に指示を出すため、どの金種を何枚硬貨返却口１２へ移動させるかは主制御部１０１側で自由に対応できる。
【０１１０】
その後、主制御部１０１は、釣銭機１０の制御部１５からの応答が、閾値を超えた枚数の硬貨を硬貨返却口１２に移動可能でないと判定したものであるかを判定する（ステップＳ５３５）。なお、主制御部１０１は、上述の「解除」、「継続」などのＯＦの状況を制御部１５からの応答により判断する。
【０１１１】
また、主制御部１０１は、ＯＦで移動する金種と枚数の情報は既に有している。そのため、制御部１５からの応答が移動不可である場合(ステップＳ５３５：ＹＥＳ)、移動可能である場合(ステップＳ５３５：ＮＯ)のどちらの場合でも、図６Ｂに示すＯＦ専用コマンドを使う場合と異なり、金種と枚数の情報の取得処理（ステップＳ２３５）は行わず、スキャニングステーション２００にＯＦ発生状況を通知する（ステップＳ５３６）。また、主制御部１０１は、硬貨の排出口を硬貨出金口１１へ戻すように設定変更し（ステップＳ５３７）、ステップＳ５２１に戻る。また、主制御部１０１が、ＯＦ処理が必要でないと判定した場合（ステップＳ５３２：ＮＯ）、ステップＳ５２１に戻る。
【０１１２】
図１０Ａは、比較例の出金コマンドを使って、主制御部１０１がＯＦ制御する場合の釣銭機１０（制御部１５）の処理（非同期処理）を示すフローチャートである。
【０１１３】
図１０Ｂは、比較例の出金コマンドを使って、主制御部がＯＦ制御する場合の精算装置１００（主制御部１０１）の処理（非同期処理）を示すフローチャートである。
【０１１４】
図１０Ａに示すステップＳ６０１〜Ｓ６１１の処理（非同期処理）は、ステップＳ６０８及びＳ６１０が追加されていることのみ図９Ａに示すステップＳ５０１〜Ｓ５０９の処理（同期処理）と異なる。そのため、相違部分のみ説明する。
【０１１５】
制御部１５は、硬貨返却口１２に空きがあれば（ステップＳ６０７（Ｓ５０７と同一）：ＹＥＳ）、硬貨排出指示（ステップＳ６０３（Ｓ５０３と同一））に対する指示受付を主制御部１０１に応答する（ステップＳ６０８）。
【０１１６】
また、制御部１５は、硬貨返却口１２に主制御部１０１が指定する金種と枚数の硬貨を移動させ（ステップＳ６０９（Ｓ５０８と同一））、非同期処理の終了を主制御部１０１に応答し（ステップＳ６１０）、ステップＳ６０１に戻る。
【０１１７】
次に、図１０Ｂに示す精算装置１００（主制御部１０１）の処理について説明する。なお、図１０Ｂに示すステップＳ６２１〜Ｓ６３９の処理は、ステップＳ６３６及びＳ６３７の処理が追加されていることのみ図９Ｂに示すステップＳ５２１〜Ｓ５３７の処理と異なる。そのため、相違部分のみ説明する。
【０１１８】
主制御部１０１は、釣銭機１０の制御部１５からの応答が、閾値を超えた枚数の硬貨を硬貨返却口１２に移動可能と判定したものである場合（ステップＳ６３５（Ｓ５３５と同一）：ＮＯ）、図９Ｂに示す同期処理とは異なり、非同期処理の終了通知を釣銭機１０から受け取らない間（ステップＳ６３７：ＮＯ）、釣銭機１０の動作中に別の処理を行うことが可能となる（ステップＳ６３６）。
【０１１９】
その後、非同期処理の終了通知を釣銭機１０から受け取ると（ステップＳ６３７：ＹＥＳ）、主制御部１０１は、スキャニングステーション２００にＯＦ発生状況を通知し（ステップＳ６３８（Ｓ５３６と同一））、硬貨の排出口を硬貨出金口１１へ戻すように設定変更し（ステップＳ６３９（Ｓ５３７と同一））、ステップＳ６２１に戻る。
【０１２０】
以上説明した本実施の形態では、金銭処理装置の一例である精算装置１００及び入出金装置１は、筐体の一例である釣銭機筐体１４と、この釣銭機筐体１４の外面に設けられ、硬貨が投入される硬貨投入口１３と、釣銭機筐体１４の外面に設けられ、硬貨を排出する第１の排出口の一例である硬貨出金口１１と、釣銭機筐体１４の外面に設けられ、硬貨を排出する第２の排出口の一例である硬貨返却口１２と、釣銭機筐体１４内に収納される枚数の閾値を超える枚数の硬貨を硬貨返却口１２に排出する制御を行う制御部１５（又は制御部の他の一例として機能する主制御部１０１）と、を備える。また、本実施の形態では、制御部１５は、釣銭機筐体１４内に収納される枚数の閾値を超える枚数の硬貨があるかを判定し、閾値を超える枚数の硬貨を硬貨返却口に排出する。また、本実施の形態では、金銭処理装置は、例えば、表示装置１０２と、制御部１５及び表示装置１０２を制御する主制御部１０１と、を備える精算装置１００である。
【０１２１】
そのため、閾値を超えた枚数の硬貨を、新たな収納庫を釣銭機１０（入出金装置１，精算装置１００）に付加的に配置しなくとも、既存の釣銭機１０の硬貨返却口１２を利用して、閾値を超えた枚数の硬貨を収納することができる。そのため、釣銭機１０や入出金装置１、ひいては精算装置１００の新規導入を回避して店舗に対する大きなコスト負担の発生を抑制することができる。よって、本実施の形態によれば、新たな収納庫を配置しなくとも、硬貨の収納量が増えることに起因する自動取引装置１や精算装置１００の休止時間を減らすことができる。
【０１２２】
また、本実施の形態では、精算装置１００及び入出金装置１は、閉じた状態で硬貨返却口１２を覆い、開放した状態で硬貨返却口１２を露出させるカバーの一例である前カバー３１を有する。また、本実施の形態では、前カバー３１は、ロック機構（鍵挿入口３１ａ）を有している。そのため、硬貨返却口１２から排出された硬貨が顧客によって取り去られるのを抑制することができる。
【０１２３】
また、本実施の形態では、精算装置１００及び入出金装置１は、硬貨を金種別に収納する１つ以上の硬貨収納庫Ｂを備え、上記の閾値は、硬貨収納庫Ｂに収納される硬貨の枚数の閾値である。そのため、簡単な制御・構成で、閾値を超えた枚数の硬貨を硬貨返却口１２へ移動させる処理を行うことができる。
【０１２４】
また、本実施の形態では、精算装置１００及び入出金装置１は、硬貨を金種別に収納する１つ以上の硬貨収納庫Ｂと、硬貨投入口１３から投入された硬貨の真偽および金種を識別する硬貨識別部１６と、硬貨収納庫Ｂに硬貨を搬送する入金搬送路１８と、硬貨収納庫Ｂから硬貨出金口１１に硬貨を搬送する出金搬送路１９と、硬貨識別部１６において正貨として識別されなかった投入物を硬貨出金口１１に振分ける第１の振分部の一例である第１の振分ゲートＧ１と、入金搬送路１８において硬貨を金種別に硬貨収納庫Ｂへ振分ける第２の振分部の一例である第２の振分ゲートＧ２と、出金搬送路１９において、硬貨収納庫Ｂから硬貨出金口１１に搬送される硬貨のうち硬貨収納庫Ｂにおいて閾値を超えた枚数の硬貨を硬貨返却口１２へ振分ける第３の振分部の一例である第３の振分ゲートＧ３と、を備える。また、本実施の形態では、精算装置１００及び入出金装置１は、硬貨を一時保留する硬貨一時保留部１７を備え、第１の振分ゲートＧ１は、硬貨識別部１６において正貨として識別された硬貨を硬貨一時保留部１７へ振分け、第３の振分ゲートＧ３は、上記の閾値を超えた枚数の硬貨を、硬貨一時保留部１７を経由して硬貨返却口１２に振分ける。そのため、簡単な制御・構成で、閾値を超えた枚数の硬貨を硬貨返却口１２へ移動させる処理を行うことができる。  また、本実施の形態では、制御部１５（主制御部１０１）は、硬貨収納庫Ｂの収納枚数が、満杯となるフル枚数に達したこと、または、満杯に近づいたことを表すニアフル枚数に達したこと、の少なくともいずれか１つを検出し、上記の閾値は、フル枚数よりも少なく且つニアフル枚数よりも多い枚数である。そのため、満杯間近の硬貨収納庫Ｂに収納された硬貨を硬貨返却口１２に移動させることで、自動取引装置１や精算装置１００の休止時間を確実に減らすことができる。
【０１２５】
また、本実施の形態では、制御部１５（主制御部１０１）は、閾値を超える枚数の硬貨が複数の金種の硬貨を含む場合に、金種ごとに予め定められた優先度に基づき、優先度の高い金種の硬貨から順に硬貨返却口１２に排出する制御を行う。そのため、例えば、金額の安い順、金額の高い順、或いは金額の大小とは関係しない任意の順などで硬貨が硬貨返却口１２に排出されることで、入出金装置１や精算装置１００の利用状況に即して自動取引装置１や精算装置１００の休止時間を確実に減らすことができる。
【０１２６】
また、本実施の形態では、制御部１５（主制御部１０１）は、硬貨返却口１２が収容する硬貨の収容状況の情報に基づき、閾値を超える枚数の硬貨を硬貨返却口１２に排出可能であるかの判定を行い、排出可能であると判定した場合に、閾値を超える枚数の硬貨を硬貨返却口１２に排出する制御を行う。また、本実施の形態では、制御部１５（主制御部１０１）は、収容状況の情報に基づき、金種ごとに予め定められた係数を用いて、閾値を超える枚数の硬貨を硬貨返却口１２に排出可能であるかの判定を行う。これにより、硬貨返却口１２から硬貨が溢れるのを防止しながら、より多くの硬貨を硬貨返却口１２に排出することができるため、自動取引装置１や精算装置１００の休止時間を確実に減らすことができる。
【０１２７】
また、本実施の形態では、精算装置１００及び入出金装置１は、硬貨返却口１２に収容された硬貨を検出する硬貨検出センサ１２ａを備え、制御部１５（主制御部１０１）は、硬貨検出センサ１２の検出結果に基づき、硬貨返却口１２が収容する硬貨の収容状況の情報を更新する。そのため、硬貨返却口１２から硬貨が溢れるのを防止しながら、より多くの硬貨を硬貨返却口１２に排出することができるため、自動取引装置１や精算装置１００の休止時間を確実に減らすことができる。
【０１２８】
また、本実施の形態では、主制御部１０１は、硬貨収納庫Ｂに収納された硬貨の枚数が閾値を超えるか否かを判定する。そのため、入出金装置１（釣銭機１０）の制御部１５による判定を行わずに、閾値を超えた枚数の硬貨を硬貨返却口１２へ移動させる処理を行うことができる。
【０１２９】
なお、本発明は、上述した実施の形態そのままに限定されるものではなく、実施段階でのその要旨を逸脱しない範囲で構成要素を変形して具体化することができる。また、実施の形態に開示されている複数の構成要素の適宜な組み合わせにより、種々の発明を形成することができる。例えば、実施の形態に示される全構成要素を適宜組み合わせてもよい。このように、発明の趣旨を逸脱しない範囲内において種々の変形や応用が可能である。
【符号の説明】
【０１３０】
１      入出金装置
１０      釣銭機
１１      硬貨出金口（第１の排出口）
１２      硬貨返却口（第２の排出口）
１２ａ      硬貨検出センサ
１３      硬貨投入口
１４      釣銭機筐体（筐体）
１５      制御部
１６      硬貨識別部
１７      硬貨一時保留部
１８      入金搬送路
１９      出金搬送路
２０      釣札機
２１      紙幣出金口
２２      紙幣カセット
３０      入出金装置筐体
３１      前カバー（カバー）
３１ａ      鍵挿入口
３２      上カバー
４０      カゴ置き台
５０      スカート
１００      精算装置
１０１      主制御部
１０２      表示装置
１０３      磁気情報読取部
１０４      レシートプリンタ
１０５      レーンライト
２００      スキャニングステーション
Ｂ（Ｂ１，Ｂ５，Ｂ１０，Ｂ５０，Ｂ１００，Ｂ５００）      硬貨収納庫
Ｇ（Ｇ１〜Ｇ３）      振分ゲート
【図１】
2019101891.tif 000003
【図２】
2019101891.tif 000004
【図３】
2019101891.tif 000005
【図４】
2019101891.tif 000006
【図５Ａ】
2019101891.tif 000007
【図５Ｂ】
2019101891.tif 000008
【図５Ｃ】
2019101891.tif 000009
【図６Ａ】
2019101891.tif 000010
【図６Ｂ】
2019101891.tif 000011
【図７Ａ】
2019101891.tif 000012
【図７Ｂ】
2019101891.tif 000013
【図８】
2019101891.tif 000014
【図９Ａ】
2019101891.tif 000015
【図９Ｂ】
2019101891.tif 000016
【図１０Ａ】
2019101891.tif 000017
【図１０Ｂ】
2019101891.tif 000018